(57)【特許請求の範囲】
【請求項１】
野縁受けの下面に当接してこれに直交するように配置される野縁を吊支するための天井下地用クリップ金具において、クリップ金具は、野縁受けの横幅より狭い横幅を有し、溝開口部を上向きにして配置される野縁の両リップ部を跨ぐように横架固定される固定基板と、固定基板上に野縁と直交するように配置される野縁受けを両側から抱持する一対の金具本体とからなり、両金具本体は、野縁受けの両側面を挟持する挟持部と、両挟持部の上端部で互いに接近して平行に延びる接合部と、両挟持部の夫々下部両端にあって野縁の両リップ部下面に係止する係止部とを備え、両挟持部の下端部には、固定基板の両側端から夫々断面略下向きＬ字状に突設されたストッパー片を突入係止させる窓部を貫設し、両挟持部の係止部を野縁の両リップ部下面に係止させると共に固定基板の両ストッパー片を両挟持部の窓部に係止させた状態で、両接合部をネジ具で締結するようにした天井下地用クリップ金具。
【請求項２】
固定基板は、野縁上に載置される基板本体と、基板本体の両端から下向きに直角に突出して野縁の両側壁にビス止めされる取付片とで断面略々下向きコ字状に形成され、基板本体の両側端の夫々中央部からストッパー片が断面略下向きＬ字状に突設されている請求項１に記載の天井下地用クリップ金具。
【請求項３】
両金具本体は、野縁受けの両側面を挟持する挟持部と、両挟持部の上端部から内向きに突出する両肩部と、両肩部から互いに接近するように夫々上向きに突出して平行に延びる接合部と、両挟持部の夫々下部両端にあって野縁の両リップ部下面に係止する係止部と、両挟持部の下端から夫々内向きに突出する補強用突片とからなる請求項１又は２に記載の天井下地用クリップ金具。
【発明の詳細な説明】
【技術分野】
【０００１】
本発明は、本発明は、天井スラブから垂下する吊りボルトの下端部にハンガーを取り付け、このハンガーに野縁受けを支持し、この野縁受けに、クリップ金具を介して、野縁を吊支するようにした天井下地に関するもので、特に本発明は、野縁受けに取り付けて野縁を吊支するクリップ金具に関する。
【背景技術】
【０００２】
図４は一般に採用されている従来の天井下地を示すもので、天井スラブＳに埋設されたインサートナットＮに吊りボルト１が垂下連結され、この吊りボルト１の下端部にハンガー２が取り付けられ、このハンガー２には例えば溝型材からなる野縁受け３が支持され、この野縁受け３にクリップ金具２４を介しリップ溝型材からなる野縁５が吊支され、この野縁５に天井板Ｃが、釘打ちによって取り付けられるようになっている。
【０００３】
図４に示される天井下地のクリップ金具２４は、溝開口部を横向きにして配置される野縁受け３に上方より係嵌されるフック状のクリップ本体２５と、このクリップ本体２５の一端側下部の左右に形成された一対の係止部２６，２６とからなるもので、クリップ本体２５を野縁受け３に係嵌させた状態で、その一端側下部を、溝開口部を上向きにして配置される野縁５の溝開口部内に挿入して、係止部２６，２６を、リップ溝型材からなる野縁５の両リップ部５ｏ，５ｏ下面に係止させることにより、野縁受け３にクリップ金具２４を介して野縁５を吊支するようになっている。
【発明の概要】
【発明が解決しようとする課題】
【０００４】
図４に示すリップ溝型材からなる野縁５は、型材の厚みが可なり分厚く図示されているが、実際に野縁５として使用されるリップ溝型材は、幅が６０ｍｍ、高さが３０ｍｍの場合、その厚さは１．４ｍｍと比較的に薄いものである。従って、上記したようなクリップ金具２４によれば、両リップ部５ｏ，５ｏの下面が係止部２６，２６で支持されている野縁５に天井板Ｃが取り付けられて野縁５に大きな荷重がかかることによって、野縁５の両リップ部５ｏ，５ｏが上向きに変形して溝開口部が広がり、場合によっては係止部２６，２６がリップ部５ｏ，５ｏ下面から離脱して、クリップ金具２４が野縁５から外れてしまうことがあった。
【０００５】
本発明は、上記の事情に鑑み、野縁に相当大きな荷重がかかっても、リップ溝型材からなる野縁のリップ部が変形するようなことがなく、係止部を野縁のリップ部に的確に支持させることができる天井下地用クリップ金具を提供することを目的としている。
【課題を解決するための手段】
【０００６】
上記課題を解決するための手段を、後述する実施形態の参照符号を付して説明すると、請求項１に係る発明は、野縁受け３の下面に当接してこれに直交するように配置される野縁５を吊支するための天井下地用クリップ金具において、クリップ金具４は、溝開口部を横向きにして配置される野縁受け３の横幅３Ｗより狭い横幅６Ｗを有し、溝開口部を上向きにして配置される野縁５の両リップ部５ｏ，５ｏを跨ぐように横架固定される固定基板６と、固定基板６上に野縁５と直交するように配置される野縁受け３を両側から抱持する一対の金具本体７，７とからなり、両金具本体７，７は、野縁受け３の両側面を挟持する挟持部８，８と、両挟持部８，８の上端部で互いに接近して平行に延びる接合部１０，１０と、両挟持部８，８の夫々下部両端にあって野縁５の両リップ部５ｏ，５ｏ下面に係止する係止部１１，１１とを備え、両挟持部８，８の下端部には、固定基板６の両側端から夫々断面略下向きＬ字状に突設されたストッパー片１３，１３を突入係止させる窓部１４，１４を貫設し、両挟持部８，８の係止部１１，１１を野縁５の両リップ部５ｏ，５ｏ下面に係止させると共に固定基板６の両ストッパー片１３，１３を両挟持部８，８の窓部１４，１４に係止させた状態で、両接合部１０をネジ具１６，１６で締結するようにしたことを特徴とする。
【０００７】
請求項２は、請求項１に記載の天井下地用クリップ金具において、固定基板６は、野縁５上に載置される基板本体６ａと、基板本体６ａの両端から下向きに直角に突出して野縁の両側壁５ａ，５ａにビス１２止めされる取付片６ｂ，６ｂとで断面略々下向きコ字状に形成され、基板本体６ａの両側端の夫々中央部からストッパー片１３，１３が断面略下向きＬ字状に突設されていることを特徴とする。
【０００８】
請求項３は、請求項１又は２に記載の天井下地用クリップ金具において、両金具本体７，７は、野縁受け３の両側面を挟持する挟持部８，８と、両挟持部８，８の上端部から内向きに突出する両肩部９，９と、両肩部９，９から互いに接近するように夫々上向きに突出して平行に延びる接合部１０，１０と、両挟持部１０，１０の夫々下部両端にあって野縁の両リップ部５ｏ，５ｏ下面に係止する係止部１１，１１と、両挟持部８，８の下端から夫々内向きに突出する補強用突片１８，１８とからなることを特徴とする。
【発明の効果】
【０００９】
上記解決手段による発明の効果を、後述する実施形態の参照符号を付して説明すると、請求項１に係る発明によれば、両金具本体７，７の挟持部８，８が野縁受け３を両側から挟持した状態で、上部側の接合部１０，１０どうしが互いに締結されると共に、金具本体７，７の下部側が、挟持部８，８の窓部１４，１４に係止する固定基板６のストッパー片１３，１３を介して固定基板６に保持されることにより、両金具本体７，７を野縁受け３に対し確実に保持固定することができ、両金具本体７，７の夫々下部両端にある係止部１１，１１によって野縁５を安定良く確実に保持することができる。そして、特にこのクリップ金具４では、野縁５上の所定箇所に固定基板６が野縁５の両リップ部５ｏ，５ｏを跨ぐように横架固定されから、野縁５に相当大きなな荷重がかかっても、野縁５のリップ部５ｏ，５ｏが変形して溝開口部が広がるようなことがないから、クリップ金具４が野縁５から外れるおそれがない。
【００１０】
請求項２に係る発明によれば、固定基板６が、野縁５上に載置される基板本体６ａと、この基板本体６ａの両端から下向きに直角に突出して野縁の両側壁５ａ，５ａにビス１２止めされる取付片６ｂ，６ｂとで略々下向きコ字状に形成されるから、野縁受け３への取付けが容易で、リップ溝型材からなる野縁５の溝開口部の広がりを有効に阻止することができる。またストッパー片１３は、基板本体６ａの側端中央部から断面略下向きＬ字状に突設されたものであるため、金具本体７側の窓部１４に対し的確に係止させることができる。
【００１１】
請求項３に係る発明によれば、両金具本体７，７は、野縁受け３の両側面を挟持する挟持部８，８と、両挟持部８，８の上端部から内向きに突出する両肩部９，９と、両肩部９，９から互いに接近するように夫々上向きに突出して平行に延びる接合部１０，１０と、両挟持部１０，１０の夫々下部両端にあって野縁の両リップ部５ｏ，５ｏ下面に係止する係止部１１，１１とからなるため、溝型材又はリップ溝型材からなる野縁受け３を的確に抱持して、野縁受け３に対し確実に保持固定される。また、両金具本体７，７の挟持部８，８の下端からは夫々補強用突片１８，１８が内向きに突設されているため、挟持部８に剛性をもたせて変形を防止し、その挟持部８，８によって野縁受け３の両側を的確に挟持することができる。
【図面の簡単な説明】
【００１２】
【図１】(a) 〜(c) は本発明に係る天井下地用クリップ金具の組立手順を示し説明図である。
【図２】クリップ金具の取付状態を示す正面図である。
【図３】図２のＸ−Ｘ線断面図である。
【図４】従来の天井下地を示す斜視図である。
【発明を実施するための形態】
【００１３】
以下に本発明の好適な一実施形態を図面に基づいて説明すると、本発明に係る天井下地用クリップ金具４は、図１の(b) に示すように溝開口部を横向きにして配置されるリップ溝型材からなる野縁受け３の横幅３Ｗよりも僅かに狭い横幅６Ｗを有し、溝開口部を上向きにして配置されるリップ溝型材からなる野縁５のリップ部５ｏ，５ｏを跨ぐように野縁５上に横架固定される固定基板６と、この固定基板６上に野縁５と直交するように配置される野縁受け３を両側から抱持する一対の金具本体７，７とからなる。野縁受け３には、リップ無しの溝型材を使用してもよい。
【００１４】
固定基板６は、リップ溝型材からなる野縁５の溝開口部の広がりを阻止するために野縁５の両リップ部５ｏ，５ｏに亘って横架固定されるものであって、野縁受け３の横幅３Ｗよりも僅かに狭い横幅６Ｗを有するように形成され、溝開口部を上向きにして配置される野縁５上に載置される基板本体６ａと、この基板本体６ａの両端から下向きに直角に一体突出して野縁５の両側壁５ａ，５ａにビス１２止めされる取付片６ｂ，６ｂとによって断面略々下向きコ字状に形成されたもので、基板本体６ａの両側端の夫々中央部からストッパー片１３，１３が夫々断面略下向きＬ字状に一体に突設されている。
【００１５】
両金具本体７，７は、溝開口部を横向きにして配置される野縁受け３の両側面を挟持する挟持部８，８と、両挟持部８，８の上端部から互いに接近する方向に水平に延びる肩部９，９と、両肩部９，９の内端部から上向き垂直で互いに平行に延びる接合部１０，１０と、両挟持部８，８の夫々下部両端にあって野縁５の両リップ部５ｏ，５ｏ下面に係止する係止部１１，１１とを備えており、そして両挟持部８，８の夫々下端部には、固定基板６の両側端中央部から夫々一体に突出する断面略下向きＬ字状のストッパー片１３，１３を夫々突入係止させるための四角形の窓部１４，１４が貫設されている。
【００１６】
図３から分かるように、両金具本体７，７の接合部１０，１０の一方にはボルト挿通孔１５ａが設けられ、他方の接合部１０には前記ボルト挿通孔１５ａに対応する位置にネジ孔１５ｂが設けられていて、一方の接合部１０のボルト挿通孔１５ａから挿通したボルト１６を他方の接合部１０のネジ孔１５ｂに螺入することにより、両接合部１０，１０を締結して接合するようになっている。尚、一方の接合部１０のボルト挿通孔１５ａは、その上下方向の径が左右方向の径よりも僅かに長い長孔（小判孔）とするのがよく、そうすることにより他方のネジ孔１５ｂでのボルト１５のねじ込みが的確に行なえる。
【００１７】
また各金具本体７の挟持部８にはその下半部に補強リブ１７が、外面側に突出するように形成され、また各挟持部８の下端からは補強用突片１８が内向き直角方向に突設されている。このように挟持部８に補強リブ１７及び補強用突片１８を設けることにより、挟持部８に剛性をもたせて変形を防止し、その挟持部８，８によって野縁受け３の両側を的確に挟持することができる。尚、各金具本体７の挟持部８には上下２箇所にビス挿通孔２０が設けてあるが、このビス挿通孔は、必要に応じて、金具本体７側から野縁受け３に対し固定用のタッピングビスをねじ込むことができるようにするための孔である。
【００１８】
上記のように構成されるクリップ金具４の使用態様について説明すると、先ず、図１の(a) に示すように、野縁５上の所定箇所に、下向きコ字状固定基板６の基板本体６ａを、野縁５の両リップ部５ｏ，５ｏを跨ぐように配置して、その両端側の取付片６ｂ，６ｂを野縁５の両側壁５ａ，５ａ外面に当接させた状態とし、しかして各取付片６ｂのビス挿通孔１９からタッピングビス１２を、野縁５の側壁５ａに予め設けてある下孔（図示せず）にねじ込むことによって、固定基板６を野縁５上に横架固定する。
【００１９】
次いで、図１の(b) に示すように、野縁受け３を野縁５と直交する方向に持ち来して、野縁５上に横架固定された固定基板６の上に載置した状態とし、斯かる状態から、一対の金具本体７，７を、固定基板６を両側から挟むように対向配置して、(c) に示すように、両挟持部８，８の係止部１１，１１を、野縁５の両リップ部５ｏ，５ｏ下面に係止させると共に、固定基板６の両ストッパー片１３，１３を両挟持部８，８の窓部１４，１４に係止させた状態で、両金具本体７，７の両接合部１０をボルト（ネジ具）１６で締結することにより、図２及び図３に示すような状態とする。
【００２０】
即ち、図２及び図３から分かるように、このクリップ金具４によれば、両金具本体７，７は、両挟持部８，８が野縁受け３を両側から挟持した状態で、上部側の接合部１０，１０どうしが互いに締結されると共に、金具本体７，７の下部側が挟持部８，８の窓部１４，１４に係止する固定基板６のストッパー片１３，１３を介して固定基板６に保持されることにより、野縁受け３に対し確実に保持固定され、両金具本体７，７の夫々下部両端にある係止部１１，１１によって野縁５を安定良く確実に保持することができる。そして、このクリップ金具４では、野縁５上の所定箇所に固定基板６が野縁５の両リップ部５ｏ，５ｏを跨ぐように横架固定されることにより、野縁５に相当大きなな荷重がかかっても、野縁５のリップ部５ｏ，５ｏが変形して、溝開口部が広がるようなことがなくなるから、野縁５からクリップ金具４が外れるおそれがない。
【００２１】
またこのクリップ金具４では、固定基板６は、野縁５上に載置される基板本体６ａと、この基板本体６ａの両端から下向きに直角に突出して野縁の両側壁５ａ，５ａにビス１２止めされる取付片６ｂ，６ｂと、基板本体６ａの両側端の夫々中央部から断面略下向きＬ字状に突設されたストッパー片１３，１３とにより略々下向きコ字状に形成されるから、野縁受け３への取付けが容易となり、リップ溝型材からなる野縁５の溝開口部の広がりを有効に阻止することができ、またストッパー片１３は、基板本体６ａの側端中央部から断面略下向きＬ字状に突設されたものであるため、金具本体７側の窓部１４に対し簡単容易で的確に係止させることができる。
【００２２】
また、固定基板６の基板本体６ａは、その横幅６Ｗが野縁受け３の横幅３Ｗより僅かに狭く形成されていることによって、両金具本体７，７の挟持部８，８を野縁受け３の両側面に密接させることができると共に、基板本体６ａの側端中央部から突出するストッパー片１３，１３を、両挟持部８，８の窓部１４，１４に確実に係止させることができる。
【００２３】
またこのクリップ金具４では、両金具本体７，７は、野縁受け３の両側面を挟持する挟持部８，８と、両挟持部８，８の上端部から内向きに突出する両肩部９，９と、両肩部９，９から互いに接近するように夫々上向きに突出して平行に延びる接合部１０，１０と、両挟持部１０，１０の夫々下部両端にあって野縁の両リップ部５ｏ，５ｏ下面に係止する係止部１１，１１とからなるため、溝型材又はリップ溝型材からなる野縁受け３を的確に抱持して、野縁受け３に対し確実に保持固定される。
【００２４】
また、両金具本体７，７の挟持部８，８の下端からは夫々補強用突片１８，１８が内向きに突設されているため、挟持部８に剛性をもたせて変形を防止し、その挟持部８，８によって野縁受け３の両側を的確に挟持することができる。
【００２５】
上述した実施形態では、図３のＡで示す仮想線で囲んだ部分から分かるように、両金具本体７，７の接合部１０，１０の一方にボルト挿通孔１５ａを設け、他方の接合部１０の対応する位置にネジ孔１５ｂを設けて、一方の接合部１０のボルト挿通孔１５ａから挿通したボルト１６を他方の接合部１０のネジ孔１５ｂに螺入して締め付けることによって、両接合部１０，１０を締結接合しているが、同図のＢで示す仮想線で囲んだ部分から分かるように、両金具本体７，７の接合部１０，１０の一方にボルト挿通孔１５ａを設け、他方の接合部１０の対応する位置にボルト挿通孔２１を設けて、ボルト１６を、一方の接合部１０のボルト挿通孔１５ａから他方の接合部１０のボルト挿通孔２１に挿通して、その挿通端部にナット２２を螺合し締め付けることによって、両接合部１０，１０を締結接合するようにしてもよい。
【符号の説明】
【００２６】
１            吊りボルト
２            ハンガー
３            野縁受け
４            クリップ金具
５            野縁
５ｏ          野縁のリップ部
６            固定基板
７            金具本体
８            挟持部
９            肩部
１０          接合部
１１          係止部
１２          ビス
１３          ストッパー片
１４          窓部
１６          ボルト（ネジ具）
【図１】
0005769529.tif 000002
【図２】
0005769529.tif 000003
【図３】
0005769529.tif 000004
【図４】
0005769529.tif 000005